(57)【要約】【課題】使用者が冷蔵庫を設置した後でも扉の上下方向の位置を簡単に調整することができる冷蔵庫を提供する。【解決手段】前面に開口部を有する貯蔵室３を形成する冷蔵庫本体２と、冷蔵庫本体２の前面に設けられ、貯蔵室３の開口部を開閉する扉１１と、扉１１の下部を下側ピン５３の周りに回動可能に支持する下側支持部２３と、扉１１の上部を上側ピン３３の周りに回動可能に支持する上側支持部２２と、を備えた冷蔵庫１において、下側支持部２３は、扉１１を支持した状態で扉１１と接触する上下方向の位置を変更して、扉１１が開口部を閉塞した時の冷蔵庫本体２に対する扉１１の上下方向の位置を調整する調整部７０を備える。【選択図】        図３
2020118374.tif 000002
【特許請求の範囲】
【請求項１】
前面に開口部を有する貯蔵室を形成する冷蔵庫本体と、
前記冷蔵庫本体の前面に設けられ、前記貯蔵室の前記開口部を開閉する扉と、
前記扉の下部を下側ピンの周りに回動可能に支持する下側支持部と、
前記扉の上部を上側ピンの周りに回動可能に支持する上側支持部と、
を備えた冷蔵庫において、
前記下側支持部は、前記扉を支持した状態で前記扉と接触する上下方向の位置を変更して、前記扉が前記開口部を閉塞した時の前記冷蔵庫本体に対する前記扉の上下方向の位置を調整する調整部を備える冷蔵庫。
【請求項２】
前記調整部は、前記下側ピンの周りに設けられ前記扉に当接する上側部材と、前記下側ピンの周りであって前記上側部材の下側に設けられ下側部材と、を備え、
前記上側部材及び前記下側部材のいずれか一方は、前記下側ピンの周りに突出高さが異なる１又は複数の段部を備え、他方は、前記段部へ向けて突出し前記段部に当接する突起を備え、
前記上側部材及び前記下側部材の一方を他方に対して前記下側ピンの軸回りに回転させると、前記段部と前記突起の接触位置が上下方向に変化して、前記上側部材が前記扉と接触する上下方向の位置を変更する請求項１に記載の冷蔵庫。
【請求項３】
前記調整部は、前記下側部材及び前記上側部材の一方が他方に対して前記下側ピンの軸回りに回転するのを禁止する禁止部を備える請求項２に記載の冷蔵庫。
【請求項４】
前記上側部材及び前記下側部材のいずれか一方は、前記下側ピンの周りに突出高さが順次高くなるように複数の前記段部を配置した階段部を備える請求項２又は３に記載の冷蔵庫。
【請求項５】
前記上側部材及び前記下側部材のいずれか一方は、前記階段部をｎ（ｎは２以上の整数）個備え、
前記上側部材及び前記下側部材の他方は、同じ突出高さに設定され前記下側ピンの周方向に間隔をあけて配置されたｎ個の前記突起を備える請求項４に記載の冷蔵庫。
【請求項６】
前記段部は、前記突起と接触し、突出高さの低い前記段部へ向かって突出高さが漸次小さくなるように傾斜する傾斜面と、前記傾斜面における突出高さの低い側から突出する突出面とを備える請求項４又は５に記載の冷蔵庫。
【請求項７】
前記下側ピンは、前記冷蔵庫本体に固定され、
前記上側部材は、前記扉に固定され、
前記下側部材は、前記下側ピンの周りに回転可能に設けられ、前記扉の開閉時に前記上側部材と一緒に前記下側ピンの周りを回動する請求項２〜６のいずれか１項に記載の冷蔵庫。
【請求項８】
前記下側部材の周面下部に、前記下側部材を回転させる調整治具と係合する治具係合部を備える請求項７の記載の冷蔵庫。
【請求項９】
前記下側部材の周面下部及び底面の少なくとも一方に、前記段部と前記突起が接触する上下方向の位置を示す目印が設けられている請求項７又は８に記載の冷蔵庫。
【請求項１０】
前記下側ピンを回転可能に支持する下ヒンジ部を備え、
前記上側部材は、前記下側ピンの上部に固定され、
前記下側部材は、前記下側ピンが挿通される貫通孔を備える請求項２〜６のいずれか１項に記載の冷蔵庫。
【請求項１１】
前記下側部材は、前記下側ピンの周りに回転するのを禁止する回り止め部を備える請求項１０に記載の冷蔵庫。
【請求項１２】
前記下側ピンの底面に、前記下側ピンを回転させる調整治具と係合する治具係合部を備える請求項１０又は１１に記載の冷蔵庫。
【請求項１３】
前記下側ピンの周面下部又は底面に、前記段部と前記突起が接触する上下方向の位置を示す目印が設けられている請求項１０〜１２のいずれか１項に記載の冷蔵庫。
【発明の詳細な説明】
【技術分野】
【０００１】
本発明の実施形態は、冷蔵庫に関するものである。
【背景技術】
【０００２】
冷蔵庫は、扉の上部と下部に設けられた下側支持部と上側支持部に支持された回動式の扉によって、冷蔵庫本体の内部に形成された貯蔵室の前面開口部が閉塞されている。
【０００３】
回動式の扉を備える冷蔵庫では、冷蔵庫の設置面が傾斜したり、扉の収納スペースに重量の大きい収納物が収納されると、冷蔵庫本体に歪みが生じるため、扉が所定位置から上下方向にズレて配置される。特に、扉が左右に分割された観音開き式の扉では、扉の上下方向のズレが、左右の扉の反枢支側の突き合わせ部位に段差となって現れ、外観品位を大きく損ねるおそれがある。
【０００４】
冷蔵庫の設置時に前足の高さ調整によって冷蔵庫本体の傾きを補正することで、扉の位置ズレを抑えることも可能である。しかし、前足の高さ調整では扉の上下方向の位置を直接的に調整することができず、調整作業が煩雑であったり、調整代が小さく十分に調整することができないことがある。
【０００５】
なお、下記特許文献１には、冷蔵庫本体側に形成したネジ孔に螺合するヒンジ軸を回転させることにより、ヒンジ軸の高さを調節して、扉の上下方向の位置を調整することが開示されている。特許文献１の冷蔵庫では、ヒンジ軸の回転を抑制する回り止めを設ける必要があるため、冷蔵庫の組み立て時に扉の上下方向の位置を調整することができるが、扉を支持した状態でヒンジ軸の高さを調整することができず、使用者が冷蔵庫を設置した後に扉の上下方向の位置を調整することができるものではない。
【先行技術文献】
【特許文献】
【０００６】
【特許文献１】特開２００５−３３７７０５号公報
【発明の概要】
【発明が解決しようとする課題】
【０００７】
そこで、使用者が冷蔵庫を設置した後でも扉の上下方向の位置を簡単に調整することができる冷蔵庫を提供することを目的とする。
【課題を解決するための手段】
【０００８】
本実施形態の冷蔵庫は、前面に開口部を有する貯蔵室を形成する本体と、前記本体の前面に設けられ、前記貯蔵室の前記開口部を開閉する扉と、前記扉の下部を下側ピンの周りに回動可能に支持する下側支持部と、前記扉の上部を上側ピンの周りに回動可能に支持する上側支持部と、を備えた冷蔵庫において、前記下側支持部は、前記扉を支持した状態で、前記扉が前記開口部を閉塞した時に前記扉と接触する上下方向の位置を調整する調整部を備えるものである。
【図面の簡単な説明】
【０００９】
【図１】本発明の第１実施形態の冷蔵庫の正面図
【図２】本発明の第１実施形態の冷蔵庫における右扉の概略を示す分解斜視図
【図３】本発明の第１実施形態の冷蔵庫における下側支持部の分解斜視図
【図４】本発明の第１実施形態の冷蔵庫における下側支持部の断面図であって、下側ピンの中心において屈曲した切断線によって切断された断面図
【図５】本発明の第１実施形態の冷蔵庫において右扉を持ち上げた状態を示す下側支持部の断面図であって、下側ピンの中心において屈曲した切断線によって切断された断面図
【図６】本発明の第１実施形態の冷蔵庫における上側部材の斜視図
【図７】本発明の第１実施形態の冷蔵庫における下側部材の斜視図
【図８】本発明の第２実施形態の冷蔵庫における下側支持部の分解斜視図
【図９】本発明の第２実施形態の冷蔵庫における上側部材の斜視図
【図１０】本発明の第２実施形態の冷蔵庫における下側部材の斜視図
【図１１】本発明の第２実施形態の冷蔵庫における下側支持部の斜視図
【図１２】本発明の第２実施形態の冷蔵庫において右扉を持ち上げた状態を示す下側支持部の断面図
【図１３】（ａ）〜（ｄ）は本発明の第２実施形態の冷蔵庫において段部と突起の接触位置を上下方向に変化させた調整部の斜視図
【図１４】本発明の第３実施形態における下側支持部の分解斜視図
【図１５】本発明の第３実施形態における下側支持部の断面図であって、下側ピンの中心において屈曲した切断線によって切断された断面図
【図１６】本発明の第３実施形態の冷蔵庫における調整部の分解斜視図
【図１７】本発明の第３実施形態における下側支持部を下方から見た図
【発明を実施するための形態】
【００１０】
（第１実施形態）
以下、図面に基づいて本発明の第１実施形態について説明する。
【００１１】
図１は、本実施形態に係る冷蔵庫１であり、前面に開口する断熱箱体からなる冷蔵庫本体２を備える。
【００１２】
冷蔵庫本体２は内部に形成された貯蔵空間が断熱仕切壁によって上下に区画されている。断熱仕切壁の上方の空間は、冷蔵温度帯（例えば、１〜４℃）に冷却される貯蔵室であり、その内部がさらに仕切壁によって冷蔵室３と野菜室４に区画されている。
【００１３】
断熱仕切壁の下方の空間は、自動製氷機を備えた製氷室５と第１冷凍室６とが左右に併設され、その下方に仕切板を介して第２冷凍室７が設けられている。製氷室５、第１冷凍室６及び第２冷凍室７は、いずれも冷凍温度帯（例えば、−１７℃以下）に冷却される。
【００１４】
冷蔵室３の前面開口部は、観音開き式の２枚の扉１０、１１により閉塞されている。２枚の扉１０、１１のうち、正面から見て左側の左扉１０は、左扉１０の左端上部が上側支持部２０により冷蔵庫本体２に回動可能に支持され、左端下部が下側支持部２１により冷蔵庫本体２に回動可能に支持されている。また、正面から見て右側の右扉１１は、右扉１１の右端上部が上側支持部２２により冷蔵庫本体２に回動可能に支持され、右端下部が下側支持部２３により冷蔵庫本体２に回動可能に支持されている。
【００１５】
野菜室４、製氷室５、第１冷凍室６、及び第２冷凍室７の前面開口部は、引き出し式の扉１２，１３，１４、１５により開閉される。引き出し式の各扉１２，１３，１４、１５の裏側には、不図示の収納容器が設けられている。
【００１６】
次に、冷蔵室３における左右の扉１０，１１、上側支持部２０，２２及び下側支持部２１，２３の構成について説明する。なお、左扉１０とこれを支持する上側支持部２０及び下側支持部２１は、右扉１１とこれを支持する上側支持部２２及び下側支持部２３と大きさや冷蔵庫本体２に対する取付位置が異なっているが、基本的な構成が共通しているため、ここでは、右扉１１、上側支持部２２及び下側支持部２３について説明し、左扉１０、上側支持部２０及び下側支持部２１の詳細な説明を省略する。
【００１７】
右扉１１は、図２に示すように、当該右扉１１の前側を全面的に覆うように設けられた扉前面板２５を有する。扉前面板２５の上下左右の外周部には、合成樹脂製の上側扉キャップ２６、下側扉キャップ２７、左側扉キャップ２８及び右側扉キャップ２９がそれぞれ設けられている。これらの上下左右４個の扉キャップ２６，２７，２８，２９は、扉前面板２５の上下左右の側面を外側から保持して固定する。
【００１８】
扉前面板２５の背面側には、矩形の枠体である扉内側組立体３０が扉前面板２５の外周部に沿うように設けられ、この扉内側組立体３０により右扉１１を全体的かつ一体的に組み立てている。扉内側組立体３０の背面側には、矩形の枠体３１が設けられている。なお、図示しないが、この枠体３１には、例えば鋼板などからなる内板が取り付けられるとともに、この内板と扉前面板２５との間の空間に発泡ウレタンなどの発泡断熱材が充填され、断熱性能を向上するとともに、発泡断熱材が扉前面板２５の内面に接着して扉前面板２５を固着し、扉前面板２５が外れたり、反ったりしないように固定している。
【００１９】
上側扉キャップ２６の右端部には、下方に陥没する凹部３２が設けられている。凹部３２の底面に上側支持部２２の上側ピン３３が挿入される筒部３４が設けられている。上側ピン３３と筒部３４との間には所定のクリアランスが設けられており、上側ピン３３が筒部３４内で回動可能となっている。
【００２０】
上側支持部２２は、金属、例えば鋼板を所定形状に成形したもので、右扉１１の上部を上側ピン３３の周りに回動可能に支持する。上側支持部２２は、冷蔵庫本体２の右前端部にネジなどによって固定される固定部３５と、固定部３５から前方に突出し右扉１１の上面に設けられた凹部３２に収納される突出部３６とを備える。
【００２１】
突出部３６は、固定部３５から前方に延びた後、幅方向外側（右側）へ直角に折れ曲がる形状をなしている。突出部３６の先端部には、下方へ突出する上側ピン３３が設けられている。上側ピン３３は、右扉１１の上面に設けられた筒部３４に回動可能に挿入される円筒状をなしており、センサなどの電子部品と冷蔵庫本体２に設けられた制御装置（不図示）とを電気接続する接続線が、上側ピン３３の中空部分に挿入されるようになっている。
【００２２】
下側扉キャップ２７の右端部には、上方へ陥没する扉穴３７が設けられている。扉穴３７には、ドアストッパ４０が設けられている。ドアストッパ４０は、下ヒンジ部５０及び調整部７０とともに下側支持部２３を構成する。
【００２３】
図３〜図５に示すように、下ヒンジ部５０は、金属、例えば鋼板を所定形状に成形してなる。下ヒンジ部５０は、冷蔵室３と野菜室４との間にある仕切壁の前端部８にネジなどによって固定される固定部５１と、固定部５１から前方へ略水平に突出するように折れ曲がった軸支持部５２とを備える。軸支持部５２には、上方へ突出する下側ピン５３が固定されるとともに、前方へ水平に突出する係合フック５４が設けられている。下側ピン５３は、上側支持部２２に設けられた上側ピン３３と上下に同軸状に配置されている。
【００２４】
下側ピン５３と上側ピン３３との間隔、つまり、下側ピン５３が設けられた軸支持部５２の上面から上側ピン３３が設けられた突出部３６の下面までの距離は、右扉１１の上下方向の長さより大きく設けられている。これにより、上側支持部２２と下側支持部２３は、上側ピン３３と下側ピン５３の軸回りに右扉１１を回動可能に支持するとともに、右扉１１を上下方向に移動可能に支持する。
【００２５】
図３〜図６に示すように、ドアストッパ４０は、ポリプロピレン等の合成樹脂を所定形状に成形したもので、下側扉キャップ２７の下面に取り付けられる基部４１と、基部４１から上方へ突出する筒部４２と、下ヒンジ部５０の係合フック５４と係合する係合凹部４３とを備える。
【００２６】
筒部４２は、上側（先端側）の第１筒部４２ａと、その下側（基部４１側）に第１筒部４２ａより大径に設けられた第２筒部４２ｂと、第１筒部４２ａと第２筒部４２ｂとの間に設けられた段部４２ｃを備える上下二段の段付きの筒状をなしている。
【００２７】
第１筒部４２ａ及び第２筒部４２ｂは、下側扉キャップ２７に設けられている扉穴３７に圧入され、ドアストッパ４０を右扉１１の下面に固定する。なお、必要に応じて基部４１を下側扉キャップ２７にねじ止めしてもよい。
【００２８】
第１筒部４２ａ及び第２筒部４２ｂの内側（中空部分）には、下ヒンジ部５０の軸支持部５２から上方へ突出する下側ピン５３が挿入されている。下側ピン５３の外径は、第１筒部４２ａ及び第２筒部４２ｂの内径よりも小さいため、冷蔵庫本体２に固定されている下側ピン５３と、右扉１１に固定されているドアストッパ４０とが相対的に回動可能となる。これにより、右扉１１は、下側支持部２３において回転可能に支持されている。
【００２９】
第２筒部４２ｂの内側には、右扉１１の下面の一部を構成する筒部４２の段部４２ｃと軸支持部５２の上面との間に調整部７０が設けられている。
【００３０】
調整部７０は、上側支持部２２及び下側支持部２３が右扉１１を支持した状態、つまり、右扉１１が冷蔵庫本体２に取り付けられた状態で、筒部４２の段部４２ｃと接触する上下方向の位置を変更して、右扉１１が冷蔵室３の前面開口部を閉塞した時の冷蔵庫本体２に対する右扉１１の上下方向の位置を調整可能とする。
【００３１】
具体的には、調整部７０は、下側ピン５３の周りに設けられた上側部材７１及び下側部材７２を備え、上側部材７１が下側部材７２の上側に重ねて設けられている。
【００３２】
上側部材７１は、下側ピン５３が挿通される挿通孔７３と、下側ピン５３の周りに設けられた突起８１とを備える。なお、本実施形態では、図６に示すように、上側部材７１が、ドアストッパ４０に設けられた筒部４２の段部４２ｃの下面に固定され、ドアストッパ４０に一体に設けられている。
【００３３】
突起８１は、筒部４２の段部４２ｃの下面から下方へ向けて突出しており、その下面が、下側部材７２の階段部７５と面接触するようになっている。本実施形態では、ｎ個（ｎは２以上の整数であって、本実施形態では２個）の突起８１が、下側ピン５３の周りに対称となるように所定間隔を開けて設けられている。２個の突起８１は、全て同じ高さ（突出量）に設定され、各突起８１の下面は下側部材７２に設けられたと段部７４ａ、７４ｂ、７４ｃ、７４ｄの傾斜面７４ａ１、７４ｂ１、７４ｃ１、７４ｄ１と面接触する傾斜面をなしている。
【００３４】
また、図６に示すように、ドアストッパ４０の基部４１の側面には、突起８１に対応する位置に切欠部４４が設けられている。
【００３５】
図７に示すように、下側部材７２は、ポリアセタールやポリプロピレンなどの合成樹脂を、第２筒部４２ｂ内に収納可能な所定形状に成形した部材であって、下側ピン５３を挿通する挿通孔７９と、下側ピン５３の周りに設けられた階段部７５と、下側部材７２の周面下部に設けられた治具係合部８０とを備える。
【００３６】
挿通孔７９は、下側ピン５３の外径より若干大きく設けられている。挿通孔７９に下側ピン５３を挿通すると、下側ピン５３と挿通孔７９の間に所定のクリアランスが形成され、下側部材７２は、下側ピン５３の周りに回転可能な状態で、下ヒンジ部５０の軸支持部５２の上面に配置される。
【００３７】
階段部７５は、上側部材７１に設けられたｎ個の突起８１にそれぞれ対応するように設けられている。つまり、ｎ個（本実施形態では２個）の階段部７５が下側ピン５３の周りに所定間隔を開けて設けられている。ｎ個の階段部７５は、いずれも同一形状をなしており、下側ピン５３の周りに対称となるように設けられている。
【００３８】
階段部７５は、上方へ向けて突出する複数（本実施形態は４つ）の第１段部７４ａ、第２段部７４ｂ、第３段部７４ｃ、第４段部７４ｄから構成されている。第１段部７４ａが最も突出高さが高く、第１段部７４ａ、第２段部７４ｂ、第３段部７４ｃ、第４段部７４ｄの順で突出高さが順次低くなっている。
【００３９】
階段部７５を構成する段部７４ａ、７４ｂ、７４ｃ、７４ｄのぞれぞれの上面は、上側部材７１の突起８１と接触する。段部７４ａ、７４ｂ、７４ｃ、７４ｄのぞれぞれの上面は、突出高さの低い段部７４ｂ、７４ｃ、７４ｄへ向かって突出高さが漸次小さくなるように傾斜する傾斜面７４ａ１、７４ｂ１、７４ｃ１、７４ｄ１をなしている。傾斜面７４ａ１、７４ｂ１、７４ｃ１、７４ｄ１における突出高さの低い側には上方へ突出する突出面７４ａ２、７４ｂ２、７４ｃ２、７４ｄ２が設けられている。
【００４０】
本実施形態では、最も突出高さの大きい第１段部７４ａの上面を構成する傾斜面７４ａ１から上方へ突出する突出面７４ａ２は、隣接する第２段部７４ｂの傾斜面７４ｂ１に接続されている。第２段部７４ｂの傾斜面７４ｂ１から上方へ突出する突出面７４ｂ２は、隣接する第３段部７４ｃの傾斜面７４ｃ１に接続されている。第３段部７４ｃの傾斜面７４ｃ１から上方へ突出する突出面７４ｃ２は、隣接する第４段部７４ｄの傾斜面７４ｄ１に接続されている。第４段部７４ｄの傾斜面７４ｄ１から上方へ突出する突出面７４ｄ２は、下側ピン５３の周りに隣接して設けられた階段部７５の第１段部７４ａの傾斜面７４ａ１に接続されている。
【００４１】
治具係合部８０は、下側部材７２の周面下部に設けられた断面多角形状（本実施形態では六角形状）をなしており、後述する調整治具９０と係合する。
【００４２】
治具係合部８０の上側には、径方向外方へ突出するフランジ部８３が設けられている。
フランジ部８３の上面には、階段部７５を構成する複数の段部７４ａ、７４ｂ、７４ｃ、７４ｄにそれぞれ対応して目印８２が設けられている。具体的には、第１段部７４ａの径方向外側に「３」が表示され、第２段部７４ｂの径方向外側に「２」が表示され、第３段部７４ｃの径方向外側に「１」が表示され、第４段部７４ｄの径方向外側に「０」が表示されている。
【００４３】
このような構成において、上側支持部２２及び下側支持部２３が右扉１１を支持した通常状態では、下ヒンジ部５０によって右扉１１の重量を支持する。そのため、図４に示すように、右扉１１の自重により上側部材７１が下側部材７２に押圧されている。右扉１１の自重により上側部材７１が下側部材７２に押圧されると、上側部材７１に設けられた突起８１は、下側部材７２に設けられた階段部７５の傾斜面７４ａ１、７４ｂ１、７４ｃ１、７４ｄ１のいずれか１つに押し付けられる。突起８１は、傾斜面７４ａ１、７４ｂ１、７４ｃ１、７４ｄ１の傾きによって突出面７４ａ２、７４ｂ２、７４ｃ２、７４ｄ２へ案内され、傾斜面７４ａ１、７４ｂ１、７４ｃ１、７４ｄ１と突出面７４ａ２、７４ｂ２、７４ｃ２、７４ｄ２との間に嵌まり込み、上側部材７１が下側部材７２と係合する。
【００４４】
このように上側部材７１が下側部材７２と係合すると、下側部材７２は上側部材７１に対して下側ピン５３の軸回りに回転するのを禁止される。つまり、本実施形態において、突起８１、傾斜面７４ａ１、７４ｂ１、７４ｃ１、７４ｄ１及び突出面７４ａ２、７４ｂ２、７４ｃ２、７４ｄ２は、下側部材７２及び上側部材７１の一方が他方に対して下側ピン５３の軸回りに回転するのを禁止する禁止部として機能する。
そのため、本実施形態の冷蔵庫１では、右扉１１の開閉時に上側部材７１が下側ピン５３の周りを回動すると、下側部材７２も上側部材７１と一緒に下側ピン５３の周りを回動する。そして、右扉１１は、右扉１１の上下方向の位置が変化することなく一定の高さを維持したまま下側ピン５３の周りを回動する。
【００４５】
また、上側部材７１が下側部材７２と係合すると、下側部材７２のフランジ部８３に設けられた目印８２の１つが、ドアストッパ４０の基部４１に設けられた切欠部４４と上下に一致する。使用者は、図５に示すように、ドアストッパ４０の筒部４２に下側ピン５３が挿入され、右扉１１を下側支持部２３に支持させたまま上方へ持ち上げると、ドアストッパ４０の切欠部４４及び下側部材７２の目印８２を斜め上方から目視することができる。これにより、下側支持部２３で右扉１１を支持した状態で上側部材７１の突起８１が、下側部材７２の階段部７５を構成する複数の段部のいずれの段部と上下に対向しているのかを、確認することができる。
【００４６】
次に、冷蔵庫本体２に対する右扉１１の上下方向の位置を調整する方法について説明する。
【００４７】
まず、下ヒンジ部５０が右扉１１の重量を支持する状態から、右扉１１を上方へ持ち上げる。右扉１１を上方へ持ち上げると、右扉１１に固定されたドアストッパ４０が上方へ移動するため、ドアストッパ４０に一体に設けられた上側部材７１も上方へ移動して上側部材７１と下側部材７２との係合が解除される（図５参照）。
【００４８】
そして、上側部材７１と下側部材７２との係合が解除された状態で、調整治具９０を下側部材７２の治具係合部８０に係合させ、下側部材７２の目印８２がドアストッパ４０の切欠部４４と一致するまで、調整治具９０を使って下側部材７２を下側ピン５３の周りに所定角度回動させる。
【００４９】
このように下側部材７２を下側ピン５３の周りに所定角度回動させると、下側部材７２に設けられた階段部７５の位置が下側ピン５３の周りで変更され、上側部材７１の突起８１が、下側部材７２に設けられた階段部７５の異なる突出高さの段部７４ａ、７４ｂ、７４ｃ、７４ｄと対向する。その際、上側部材７１に設けられたｎ個の突起８１は、下側部材７２に設けられたｎ個の階段部７５の同じ高さの段部７４ａ、７４ｂ、７４ｃ、７４ｄと対向するようになっている。
【００５０】
そして、下側部材７２を下側ピン５３の周りに所定角度回動させた後、右扉１１の持ち上げを終了して右扉１１の重量を下ヒンジ部５０に支持させる。すると、上側部材７１の突起８１は、下側部材７２を回動する前と異なる突出高さの段部７４ａ、７４ｂ、７４ｃ、７４ｄにおいて下側部材７２と接触する。つまり、本実施形態では、下側部材７２を下側ピン５３の周りに回動させると、上側部材７１の突起８１と下側部材７２の段部７４ａ、７４ｂ、７４ｃ、７４ｄとの接触位置が上下方向で変化する。これにより、調整部７０と右扉１１の下面との接触位置が上下方向において変更され、冷蔵庫本体２に対する右扉１１の上下方向の位置を調整することができる。
【００５１】
以上のように本実施形態の冷蔵庫１では、上側支持部２２と下側支持部２３との間で右扉１１を支持した状態で、冷蔵庫本体２に対する右扉１１の上下方向の位置を調整することができる。そのため、使用者が冷蔵庫１を設置した後でも左扉１０及び右扉１１の上下方向の位置ズレを簡単に修正することができ、外観品位を良好に保持することができる。
【００５２】
本実施形態では、下側部材７２に設けられた段部７４ａ、７４ｂ、７４ｃ、７４ｄが、下側ピン５３の周りで突出高さが順次変化する階段部７５を構成しているため、冷蔵庫本体２に対する右扉１１の上下方向の位置を段階的に変化させることができる。
【００５３】
本実施形態では、上側部材７１及び下側部材７２に、ｎ個の階段部７５及びｎ個の突起８１が設けられ、ｎ個の突起８１が、下側部材７２に設けられたｎ個の階段部７５の同じ突出高さの段部７４ａ、７４ｂ、７４ｃ、７４ｄと対向するようになっている。そのため、下側ピン５３の周りの複数箇所において上側部材７１と下側部材７２を接触させることができ、がたつきを抑えて右扉１１を安定的に支持することができる。
【００５４】
また、本実施形態では、階段部７５を構成する段部７４ａ、７４ｂ、７４ｃ、７４ｄが、突出高さの低い段部７４ｂ、７４ｃ、７４ｄへ向かって突出高さが漸次小さくなるように傾斜する傾斜面７４ａ１、７４ｂ１、７４ｃ１、７４ｄ１と、傾斜面７４ａ１、７４ｂ１、７４ｃ１、７４ｄ１における突出高さの低い側から突出する突出面７４ａ２、７４ｂ２、７４ｃ２、７４ｄ２とを備える。そのため、右扉１１を持ち上げながら下側部材７２を下側ピン５３の周りに回動させた時に、上側部材７１の突起８１と下側部材７２の段部７４ａ、７４ｂ、７４ｃ、７４ｄとの位置が上下に正確に一致していなくても、右扉１１の重量を下ヒンジ部５０に支持させると、突起８１が傾斜面７４ａ１、７４ｂ１、７４ｃ１、７４ｄ１の傾きによって突出面７４ａ２、７４ｂ２、７４ｃ２、７４ｄ２へ案内され、傾斜面７４ａ１、７４ｂ１、７４ｃ１、７４ｄ１と突出面７４ａ２、７４ｂ２、７４ｃ２、７４ｄ２との間に嵌まり込み、上側部材７１と下側部材７２とを確実に係合させることができる。
【００５５】
しかも、上側部材７１が下側部材７２と係合すると、下側部材７２は上側部材７１に対して下側ピン５３の軸回りに回転するのを禁止されるため、右扉１１の上下方向の位置が不意に変化することがない。
【００５６】
（第１実施形態の変更例）
第１実施形態では、上側部材７１に突起８１を設け、下側部材７２に複数の段部７４からなる階段部７５を設けたが、下側部材７２に突起を設け、上側部材７１に下側ピン５３の周りに階段部を設けてもよい。また、上側部材７１や下側部材７２に設ける階段部７５は、１段の段部であっても、複数段の段部からなる階段部であってもよい。
【００５７】
第１実施形態では、階段部７５及び突起８１を２個設ける場合について説明したが、１個あるいは３個以上の階段部７５及び突起８１を設けてもよい。
【００５８】
第１実施形態では、治具係合部８０を断面多角形状に設ける場合について説明したが、例えば、下側部材７２の側面下部に水平方向へ窪んだ凹部形状に設け、当該凹部形状に嵌まり込む回動治具を用いて下側部材７２を下側ピン５３の周りに回動させてもよい。
【００５９】
（第２実施形態）
第２実施形態について、主に図８〜図１３を参照しながら、第１実施形態と異なる部分を中心に説明する。なお、第１実施形態と同一の構成のものについては、同一の符号を付し、詳細な説明を省略する。
【００６０】
本実施形態の冷蔵庫１には、冷蔵庫本体２に対する右扉１１の上下方向の位置を調整する調整部１７０が設けられている。調整部１７０は、突起１８１が設けられた下側部材１７２と、階段部１７５が設けられた上側部材１７１とを備え、上側部材１７１が下側部材１７２の上側に重ねて設けられている。
【００６１】
図８及び図９に示すように、上側部材１７１は、下側ピン５３が挿通される挿通孔１７３と、下側ピン５３の周りに設けられた階段部１７５とを備える。なお、本実施形態では、図９、図１１及び図１２に示すように、上側部材１７１が、筒部４２の段部４２ｃの下面に固定され、ドアストッパ４０に一体に設けられている。
【００６２】
階段部１７５は、筒部４２の段部４２ｃの下面から下方へ向けて突出する突出高さが下側ピン１５３の周りで順次変化する複数の段部１７４から構成されている。階段部１７５を構成する段部１７４の下面は、下側部材１７２と上下に対向する水平な面（下側ピン５３の軸方向に垂直な面）をなしている。
【００６３】
本実施形態では、図９に示すように、ｎ個（ｎは２以上の整数であって、本実施形態では２個）の階段部１７５が、下側ピン５３の周りに対称となるように所定間隔を開けて設けられている。上側部材１７１に設けられたｎ個の階段部１７５の少なくとも１個には、下方へ突出する回り止め凸部１７６が、階段部１７５を構成する複数の段部１７４にそれぞれ設けられている。なお、本実施形態では、回り止め凸部１７６が、下側ピン５３の径方向に沿って延びる凸条状をなしている場合について説明するが、柱状や半球状などであってもよい。
【００６４】
また、図８及び図９に示すように、ドアストッパ４０の基部４１には、階段部１７５を構成する複数の段部１７４にそれぞれ対応して設けられた複数の切欠部４４が、第２筒部４２ｂの周りに設けられている。
【００６５】
図１０に示すように、下側部材１７２は、ポリアセタールやポリプロピレン等の合成樹脂を第２筒部４２ｂ内に収納可能な所定形状に成形した部材である。下側部材１７２は、下側ピン５３を挿通する挿通孔１７９と、下側ピン５３の周りに設けられた突起１８１と、下側部材１７２の周面下部に設けられた治具係合部１８０とを備える。
【００６６】
挿通孔１７９は、下側ピン５３の外径より若干大きく設けられている。挿通孔１７９に下側ピン５３を挿通すると、下側ピン５３と挿通孔１７９の間に所定のクリアランスが形成され、下側部材１７２は、下側ピン５３の周りに回転可能な状態で、下ヒンジ部５０の軸支持部５２の上面に配置される。
【００６７】
突起１８１は、上側部材１７１の段部１７４へ向けて上方へ突出するように設けられている。本実施形態では、上側部材１７１に設けられたｎ個の階段部１７５にそれぞれ対応する突起１８１が１つずつ、つまり、ｎ個の突起１８１が下側ピン５３の周りに所定間隔を開けて設けられている。ｎ個の突起１８１は、全て同じ高さ（突出量）に設定され、各突起１８１の上面は、上側部材１７１と上下に対向する水平な面をなしている。
【００６８】
ｎ個の突起１８１には、それぞれ上側部材１７１の段部１７４に設けられた回り止め凸部１７６が嵌まり込む回り止め凹部１７８が設けられている。図１１に示すように右扉１１の自重により上側部材１７１が下側部材１７２に押圧されると、回り止め凹部１７８は、上側部材１７１の段部１７４に設けられた回り止め凸部１７６と係合する。これにより、回り止め凸部１７６及び回り止め凹部１７８は、下側部材１７２及び上側部材１７１の一方が他方に対して下側ピン５３の軸回りに回転するのを禁止する禁止部として機能し、右扉１１の開閉時に上側部材１７１が下側ピン５３の周りを回動すると、下側部材１７２も上側部材１７１と一緒に下側ピン５３の周りを回動する。
【００６９】
また、下側部材１７２の側面及び底面には、突起１８１に対応する位置に目印１８２が設けられている。
【００７０】
上側部材１７１の回り止め凸部１７６が下側部材１７２の回り止め凹部１７８と係合すると、図１３（ａ）〜（ｄ）に示すように、下側部材１７２の側面の目印１８２が、ドアストッパ４０の基部４１に設けられた複数の切欠部４４の１つと上下に一致する。使用者は、下側支持部２３を下方から斜め上方に見上げることで、ドアストッパ４０の切欠部４４及び下側部材１７２の目印１８２を目視することができたり、あるいは、図１２に示すように、右扉１１を下側支持部２３で支持させたまま上方へ持ち上げた状態で、切欠部４４及び目印１８２を水平方向から目視することができる。そのため、下側支持部２３で右扉１１を支持したままで、下側部材１７２の突起１８１が、上側部材１７１の階段部１７５を構成する複数の段部１７４のいずれの段部１７４に接触しているのかを、確認することができる。
【００７１】
治具係合部１８０は、下側部材１７２の周面下部に設けられた断面多角形状（本実施形態では六角形状）をなしており、調整治具９０と係合する。
【００７２】
このような構成において、冷蔵庫本体２に対する右扉１１の上下方向の位置を調整するには、まず、右扉１１を上方へ持ち上げる。上側支持部２２及び下側支持部２３が右扉１１を支持した通常状態では、下ヒンジ部５０によって右扉１１の重量を支持するため、図１１に示すように、右扉１１の自重により上側部材１７１が下側部材１７２に押圧されている。
【００７３】
この状態から右扉１１を上方へ持ち上げると、右扉１１に固定されたドアストッパ４０が上方へ移動するため、ドアストッパ４０に一体に設けられた上側部材１７１も上方へ移動して上側部材１７１と下側部材１７２との係合が解除される（図１２参照）。
【００７４】
そして、上側部材１７１と下側部材１７２との係合が解除された状態で、調整治具１９０を下側部材１７２の治具係合部１８０に係合させ、下側部材１７２の目印１８２がドアストッパ４０の切欠部４４と一致するまで、調整治具１９０を使って下側部材１７２を下側ピン５３の周りに所定角度回動させる。
【００７５】
このように下側部材１７２を下側ピン５３の周りに所定角度回動させると、下側部材１７２に設けられた突起１８１の位置が下側ピン５３の周りで変更され、下側部材１７２の突起１８１が、上側部材１７１に設けられた階段部１７５の異なる突出高さの段部１７４と対向する。その際、下側部材１７２に設けられたｎ個の突起１８１は、上側部材１７１に設けられたｎ個の階段部１７５の同じ高さの段部１７４と対向するようになっている。
【００７６】
そして、右扉１１の持ち上げを終了して右扉１１の重量を下ヒンジ部５０に支持させると、下側部材１７２の突起１８１は、下側部材１７２を回動する前と異なる突出高さの段部１７４において上側部材１７１と接触する。つまり、本実施形態では、下側部材１７２を下側ピン５３の周りに回動させると、上側部材１７１の段部１７４と下側部材１７２の突起１８１との接触位置が上下方向で変化する。これにより、調整部１７０と右扉１１の下面との接触位置が上下方向において変更され、冷蔵庫本体２に対する右扉１１の上下方向の位置を調整することができる。
【００７７】
第１実施形態と同様、本実施形態の冷蔵庫１でも、使用者が冷蔵庫１を設置した後に左扉１０及び右扉１１の上下方向の位置ズレを簡単に修正することができ、外観品位を良好に保持することができたり、冷蔵庫本体２に対する右扉１１の上下方向の位置を段階的に変化させることができたり、下側ピン５３の周りの複数箇所において上側部材１７１と下側部材１７２を接触させることができ、がたつきを抑えて右扉１１を安定的に支持することができる。
【００７８】
また、本実施形態では、上側部材１７１及び下側部材１７２に、回り止め凸部１７６及び回り止め凹部１７８が設けられているため、扉開閉時に上側部材１７１の段部１７４と下側部材１７２の突起１８１との接触位置が変化することがなく、右扉１１の上下方向の位置が不意に変化することがない。
【００７９】
なお、その他の構成及び作用効果は上記した第１実施形態と同様であり、詳細な説明は省略する。
【００８０】
（第２実施形態の変更例）
第２実施形態では、上側部材１７１に複数の段部１７４からなる階段部１７５を設け、下側部材１７２に突起１８１を設けたが、上側部材１７１に突起を設け、下側部材１７２に下側ピン５３の周りに突出高さが異なる１又は複数の段部を設けてもよい。また、上側部材１７１及び下側部材１７２に設ける段部１７４は、１段であっても複数段であってもよい。
【００８１】
第２実施形態では、階段部１７５及び突起１８１を２個設ける場合について説明したが、１個あるいは３個以上の階段部１７５及び突起１８１を設けてもよい。
【００８２】
また、第２実施形態では、治具係合部１８０を断面多角形状に設ける場合について説明したが、例えば、下側部材１７２の側面下部に水平方向へ窪んだ凹部形状に設け、当該凹部形状に嵌まり込む回動治具を用いて下側部材１７２を下側ピン５３の周りに回動させてもよい。
【００８３】
また、第２実施形態では、上側部材１７１に回り止め凸部１７６を設け、下側部材１７２に回り止め凹部１７８を設けたが、上側部材１７１に凹部を設け、上側部材１７１に設けた凹部に嵌まり込む凸部を下側部材１７２に設けてもよい。
【００８４】
（第３実施形態）
第３実施形態について、主に図１４〜図１７を参照しながら、第１実施形態と異なる部分を中心に説明する。なお、第１実施形態と同一の構成のものについては、同一の符号を付し、詳細な説明を省略する。
【００８５】
図１４に示すように、本実施形態の冷蔵庫１において、右扉１１の右端下部を回転可能に支持する下側支持部２３は、ドアストッパ２４０、下ヒンジ部２５０、及び調整部２７０とを備える。
【００８６】
ドアストッパ２４０は、ポリプロピレン等の合成樹脂を所定形状に成形したものからなる。ドアストッパ２４０は、下側扉キャップ２７の下面にネジなどによって固定される基部２４１と、下側扉キャップ２７に設けられた扉穴３７と上下に一致するように基部２４１に設けられた孔部２４５と、下ヒンジ部２５０の係合フック２５４と係合する係合凹部２４３とを備える。
【００８７】
図１４及び図１５に示すように、下ヒンジ部２５０は、金属、例えば鋼板を所定形状に成形してなる。下ヒンジ部２５０は、冷蔵室３と野菜室５との間にある仕切壁の前端部８にネジなどによって固定される固定部２５１と、固定部２５１から前方へ略水平に突出するように折れ曲がった軸支持部２５２とを備える。軸支持部２５２には、前方へ水平に突出する係合フック２５４と、上方へ突出する筒部２５５が設けられている。
【００８８】
筒部２５５は、その内側が内径のことなる２つの中空部分を有する上下二段の段付きの筒状をなしている。具体的には、筒部２５５は、上側（先端側）に設けられた第１筒部２５５ａと、その下側（軸支持部２５２側）に第１筒部２５５ａと同軸状に配置された第２筒部２５５ｂと、第１筒部２５５ａと第２筒部２５５ｂとの間に設けられた段部２５５ｃを備える。第１筒部２５５ａの内径は、第２筒部２５５ｂの内径より大きく設けられている。
【００８９】
筒部２５５の外径は、下側扉キャップ２７に設けられた扉穴３７の内径より若干小さく設けられている。筒部２５５は、その内側に形成された中空部分に調整部２７０を収納した状態で下側扉キャップ２７に設けられた扉穴３７に挿入される。扉穴３７に筒部２５５を挿入すると、扉穴３７と筒部２５５との間に所定のクリアランスが確保されており、右扉１１は、筒部２５５に対して上下方向にスライド可能になっている。
【００９０】
調整部２７０は、図１６に示すように、下側ピン２５３の上部に固定された上側部材２７１と、下側ピン２５３を挿通する挿通孔２７９が設けられた下側部材２７２とを備える。調整部２７０は、下側ピン２５３を挿通孔２７９に挿通すると、上側部材２７１が下側部材２７２の上側に重ねて設けられるようになっている。
【００９１】
上側部材２７１は、ポリアセタール樹脂などの合成樹脂を所定形状に成形したもので、下側ピン２５３より径外方向へ突出する形状をなしている。例えば、上側部材２７１は、下側ピン２５３と同軸状に配置され、下側ピン２５３より外径の大きい円柱状の部材からなる。
【００９２】
上側部材２７１の下面には、下側ピン２５３の周りに下方へ突出する突起２８１が設けられている。本実施形態では、ｎ個（ｎは２以上の整数であって、本実施形態では２個）の突起２８１が、下側ピン２５３の周りに対称となるように所定間隔を開けて設けられている。ｎ個の突起２８１は、全て同じ高さ（突出量）に設定され、各突起２８１の下面は、水平な面（下側ピン２５３の軸方向に垂直な面）をなしている。
【００９３】
上側部材２７１に設けられたｎ個の突起２８１の少なくとも１個には、下方へ突出する回り止め凸部２７６が設けられている。本実施形態では、回り止め凸部２７６が、下側ピン２５３の径方向に沿って延びる凸条状をなしている場合について説明するが、柱状や半球状などであってもよい。
【００９４】
図１７に示すように、上側部材２７１に固定された下側ピン２５３の下部には、後述する調整治具２９０と係合する治具係合部２８０と、目印２８２が設けられている。治具係合部２８０は、例えば、下側ピン２５３の底面に設けられた断面多角形状（本実施形態では六角形状）の凹部からなる。目印２８２は、上側部材２７１に設けられた突起２８１に対応する位置に設けられている。
【００９５】
下側部材２７２は、ポリプロピレンなどの合成樹脂を所定形状に成形してなる。下側部材２７２は、頭部２７２ａと、頭部２７２ａの下側に設けられた軸部２７２ｂと、頭部２７２ａ及び軸部２７２ｂを上下に貫通する挿通孔２７９とを備え、頭部２７２ａの外径が軸部２７２ｂの外径より大きく設けられている。
【００９６】
挿通孔２７９は、上側部材２７１から下方へ延びる下側ピン２５３の外径より若干大きく設けられている。挿通孔２７９に下側ピン２５３を挿通すると、上側部材２７１の下面が下側部材２７２の頭部２７２ａの上面に当接し、上側部材２７１が下側部材２７２の上側に重ねて配置される。下側ピン２５３と挿通孔２７９との間には、所定のクリアランスが形成され、軸回りに回転可能な状態で下側ピン２５３が挿通孔２７９に配置される。
【００９７】
挿通孔２９７に配置された下側ピン２５３は、上側支持部２２に設けられた上側ピン３３と上下に同軸状に配置されている。下側ピン２５３と上側ピン３３との間隔、つまり、筒部２５５が設けられた軸支持部２５２の上面から上側ピン３３が設けられた突出部３６の下面までの距離は、右扉１１の上下方向の長さより大きく設けられている。これにより、上側支持部２２と下側支持部２３は、上側ピン３３と下側ピン２５３の軸回りに右扉１１を回動可能に支持するとともに、右扉１１を上下方向に移動可能に支持する。
【００９８】
頭部２７２ａの上面には、下側ピン２５３の周りにｎ個の階段部２７５が設けられている。階段部２７５は、頭部２７２ａの上面から上方へ向けて突出する突出高さが下側ピン２５３の周りで順次変化する複数の段部２７４から構成されている。階段部２７５を構成する段部２７４の上面は、上側部材２７１と上下に対向する水平な面をなしている。複数の段部２７４の上面には、上側部材２７１の突起２８１に設けられた回り止め凸部２７６が嵌まり込む回り止め凹部２７８が設けられている。
【００９９】
なお、図１６に示す例では、下側ピン２５３の周りに設けられたｎ個の突起２８１及びｎ個の階段部２７５のうち、一部の突起２８１及び一部の階段部２７５のみに回り止め凸部２７６及び回り止め凹部２７８を設ける場合を示したが、下側ピン２５３の周りに設けられたｎ個の突起２８１及びｎ個の階段部２７５の全てに回り止め凸部２７６及び回り止め凹部２７８を設けてもよい。
【０１００】
また、下側部材２７２の軸部２７２ｂの下面には、図１７に示すように、階段部２７５を構成する複数の段部２７４にそれぞれ対応して目印２８４が設けられている。具体的には、最も突出高さの高い段部７４の対応する位置に「３」が表示され、２番目、３番目及び４番目に高い段部７４の対応する位置に、それぞれ「２」、「１」及び「０」が表示されている。
【０１０１】
下側部材２７２の軸部２７２ｂを下ヒンジ部２５０の第２筒部２５５ｂに挿入すると、下側部材２７２は、頭部２７２ａの下面が筒部２５５の段部２５５ｃに当接し、筒部２５５の内側に配置される。その際、頭部２７２ａの外周面に設けられた径方向外方へ突出する凸部２７３が、筒部２５５に設けられた上下方向に延びるスリット２５６に挿入される。これより、下側部材２７２は、軸回りの回転が制限された状態で筒部２５５内に収納される。
【０１０２】
図１５に示すように、下ヒンジ部２５０の筒部２５５に調整部２７０を収納した時に、上側部材２７１の上面は、筒部２５５の上端より上方に突出する。そのため、扉穴３７に筒部２５５を挿入すると、上側部材２７１の上面が、下側扉キャップ２７に設けられた扉穴３７の底部３７ａに当接し、右扉１１の自重により上側部材２７１が下側部材２７２に押圧されている。
【０１０３】
上側部材２７１が下側部材２７２に押圧されると、上側部材２７１に設けられた回り止め凸部２７６が、下側部材２７２に設けられた回り止め凹部２７８と係合する。これにより、回り止め凸部２７６及び回り止め凹部２７８は、下側部材２７２及び上側部材２７１の一方が他方に対して下側ピン２５３の軸回りに回転するのを禁止する禁止部として機能する。
【０１０４】
回り止め凸部２７６が回り止め凹部２７８に係合すると、図１７に示すように、下側ピン２５３の底面に設けられた目印２８２が、下側部材２７２に設けられた目印２８４の１つと下側ピン２５３の径方向に一致する。使用者が、下ヒンジ部２５０の筒部２５５を下方から見上げることで、これらの目印２８２，２８４を目視することができる。これにより、使用者は、下側支持部２３で右扉１１を支持したままで、上側部材２７１の突起２８１が、下側部材２７２の階段部２７５を構成する複数の段部２７４のいずれの段部２７４に接触しているのかを、確認することができる。
【０１０５】
このような構成の冷蔵庫１では、下側部材２７２が、筒部２５５内において軸回りの回転が制限されているため、回り止め凸部２７６が回り止め凹部２７８に係合した上側部材２７１も、下側部材２７２と同様、筒部２５５内において軸回りの回転が制限される。そのため、右扉１１は、右扉１１の開閉時に、下側扉キャップ２７の扉穴３７の底部３７ａと上側部材２７１の上面と擦れ合いながら下側ピン２５３の周りを回動する。
【０１０６】
次に、冷蔵庫本体２に対する右扉１１の上下方向の位置を調整する方法について説明する。
【０１０７】
まず、下ヒンジ部５０が右扉１１の重量を支持する状態から、右扉１１を上方へ持ち上げる。右扉１１を上方へ持ち上げると、右扉１１による上側部材２７１の押圧が解除される。
【０１０８】
そして、調整治具２９０を下側ピン２５３の治具係合部２８０に係合させ、下側ピン２５３の目印２８２が、下側部材２７２の目印２８４と一致するまで、調整治具２９０を使って下側ピン２５３を押し上げながら軸回りに所定角度回動させる。
【０１０９】
このように下側ピン２５３を軸回りに所定角度回動させると、下側ピン２５３の上部に固定された上側部材２７１が下側ピン２５３の周りに回動するため、下側部材２７２に設けられた突起２８１の位置が下側ピン２５３の周りで変更され、上側部材２７１の突起２８１が、下側部材２７２に設けられた階段部２７５の異なる突出高さの段部２７４と対向する。その際、上側部材２７１に設けられたｎ個の突起２８１は、下側部材２７２に設けられたｎ個の階段部２７５の同じ高さの段部２７４と対向するようになっている。
【０１１０】
そして、調整治具２９０を下側ピン２５３から取り外して下側ピン２５３の押し上げを終了すると、上側部材２７１の突起２８１が、下側ピン２５３を回動する前と異なる突出高さの段部２７４において下側部材２７２の頭部２７２ａと接触する。
【０１１１】
そして、右扉１１の持ち上げを終了して右扉１１の重量を下ヒンジ部５０に支持させると、下側扉キャップ２７の扉穴３７の底部３７ａが上側部材２７１の上面に支持される。
【０１１２】
つまり、本実施形態では、下側ピン２５３とともに上側部材２７１を下側ピン２５３の周りに回動させると、上側部材２７１の突起２８１と下側部材２７２の段部２７４との接触位置が上下方向で変化し、上側部材２７１の上面の上下方向の位置が変化する。このように調整部２７０と右扉１１の下面との接触位置を上下方向において変更することで、冷蔵庫本体２に対する右扉１１の上下方向の位置を調整する。
【０１１３】
第１実施形態や第２実施形態と同様、本実施形態の冷蔵庫１でも、使用者が冷蔵庫１を設置した後に左扉１０及び右扉１１の上下方向の位置ズレを簡単に修正することができ、外観品位を良好に保持することができたり、冷蔵庫本体２に対する右扉１１の上下方向の位置を段階的に変化させることができたり、下側ピン５３の周りの複数箇所において上側部材１７１と下側部材１７２を接触させることができ、がたつきを抑えて右扉１１を安定的に支持することができる。
【０１１４】
なお、その他の構成及び作用効果は上記した第１実施形態と同様であり、詳細な説明は省略する。
【０１１５】
（第３実施形態の変更例）
第３実施形態では、上側部材２７１に突起２８１を設け、上側部材２７１に複数の段部２７４からなる階段部２７５を設け、たが、上側部材１７１に突起を設け、下側部材１７２に下側ピン５３の周りに突出高さが異なる１又は複数の段部を設けてもよい。また、上側部材２７１及び下側部材２７２に設ける段部２７４は、１段であっても複数段であってもよい。
【０１１６】
第３実施形態では、階段部２７５及び突起２８１を２個設ける場合について説明したが、１個あるいは３個以上の階段部２７５及び突起２８１を設けてもよい。
【０１１７】
また、第３実施形態では、上側部材２７１に回り止め凸部２７６を設け、下側部材２７２に回り止め凹部２７８を設けたが、上側部材２７１に凹部を設け、上側部材２７１に設けた凹部が嵌まり込む凸部を下側部材２７２に設けてもよい。
【０１１８】
また、第３実施形態では、下側部材２７２を下ヒンジ部２５０の筒部２５５と別個の部材としたが、下側部材２７２を下ヒンジ部２５０と一体に設けてもよい。
【０１１９】
また、第３実施形態では、上側部材２７１及び下側部材２７２に水平な面を備える突起２８１及び段部２７４を設けたが、上側部材２７１及び下側部材２７２のいずれか一方に、第１実施形態のような傾斜面と突出面を備える階段部を設け、他方に、階段部の傾斜面に面接触する傾斜面を備える突起を設けてもよい。
【０１２０】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１２１】
１…冷蔵庫、２…冷蔵庫本体、３…冷蔵室、４…野菜室、５…製氷室、６…第１冷凍室、７…第２冷凍室、８…前端部、１０…左扉、１１…右０…上側支持部、２１…下側支持部、２２…上側支持部、２３…下側支持部、３２…凹部、３３…上側ピン、３４…筒部、３５…固定部、３６…突出部、３７…扉穴、４０…ドアストッパ、４１…基部、４２…筒部、４２ａ…第１筒部、４２ｂ…第２筒部、４２ｃ…段部、４３…係合凹部、４４…切欠部、５０…下ヒンジ部、５１…固定部、５２…軸支持部、５３…下側ピン、５４…係合フック、７０…調整部、７１…上側部材、７２…下側部材、７３…挿通孔、７４…段部、７５…階段部、７９…挿通孔、８０…治具係合部、８１…突起、８２…目印、８３…フランジ部、９０…調整治具、１７０…調整部、１７１…上側部材、１７２…下側部材、１７３…挿通孔、１７４…段部、１７５…階段部、１７６…回り止め凸部、１７８…回り止め凹部、１７９…挿通孔、１８０…治具係合部、１８１…突起、１８２…目印、１８３…フランジ部、１９０…調整治具、２４０…ドアストッパ、２４１…基部、２４３…係合凹部、２４５…孔部、２５０…下ヒンジ部、２５１…固定部、２５２…軸支持部、２５３…下側ピン、２５４…係合フック、２５５…筒部、２５５ａ…第１筒部、２５５ｂ…第２筒部、２５５ｃ…段部、２５６…スリット、２７０…調整部、２７１…上側部材、２７２…下側部材、２７３…凹部、２７４…段部、２７５…階段部、２７６…回り止め凸部、２７８…回り止め凹部、２７９…挿通孔、２８０…治具係合部、２８１…突起、２８２…目印、２８４…目印部、２９０…調整治具
【図１】
2020118374.tif 000003
【図２】
2020118374.tif 000004
【図３】
2020118374.tif 000005
【図４】
2020118374.tif 000006
【図５】
2020118374.tif 000007
【図６】
2020118374.tif 000008
【図７】
2020118374.tif 000009
【図８】
2020118374.tif 000010
【図９】
2020118374.tif 000011
【図１０】
2020118374.tif 000012
【図１１】
2020118374.tif 000013
【図１２】
2020118374.tif 000014
【図１３】
2020118374.tif 000015
【図１４】
2020118374.tif 000016
【図１５】
2020118374.tif 000017
【図１６】
2020118374.tif 000018
【図１７】
2020118374.tif 000019